(57)【要約】      （修正有）【課題】環状の把持部で固定部分が外れ、把持部が切断されることのない引き綱を提供する。【解決手段】ペット用の引き綱であって、紐状体１は、金属ワイヤ１ａと、金属ワイヤ１ａの外側を被覆する繊維製の組紐１ｃとの少なくとも二重構造からなり、紐状体１の把持部８側となる端面１１から金属ワイヤ１ａを露出させ、この金属ワイヤの露出部分１３が紐状体１を貫通するとともに露出部分１３の先端部１４が紐状体１の貫通孔１２の外に突き出し、紐状体１から突き出した金属ワイヤの先端部１４に圧着部材１５が固着され、さらに圧着部材１５を覆うようにカバー１６が取り付けられて環状の把持部８が形成されるようにする。【選択図】図４
0003188041.tif 000002
【実用新案登録請求の範囲】
【請求項１】
ペットの首輪又は胴輪に取り付けられた係合部材に連結するための連結具が片側端に取り付けられ、反対側端には手で握るための環状の把持部が形成された紐状体からなるペット用の引き綱であって、
前記紐状体は、金属ワイヤと、当該金属ワイヤの外側を被覆する繊維製の組紐との少なくとも二重構造からなり、
紐状体の把持部側の端部は前記金属ワイヤが露出し、当該金属ワイヤの露出部分が紐状体を貫通するとともに露出部分の先端部が紐状体の外に突き出し、紐状体から突き出した金属ワイヤの露出部分に圧着部材が固着され、
さらに、前記圧着部材を覆うようにカバーが取り付けられて環状の把持部が形成されることを特徴とするペット用の引き綱。
【請求項２】
前記金属ワイヤの径が２〜３ｍｍであり、前記組紐の径が１０〜３０ｍｍである請求項１に記載の引き綱。
【考案の詳細な説明】
【技術分野】
【０００１】
本考案は、ペット用の引き綱に関する。特に本考案は、犬等を散歩に連れていくときの使用に適した引き綱に関する。
【背景技術】
【０００２】
飼い犬の場合、犬小屋に係留したり、散歩に連れていったりするときには、周囲の人々を安心させるとともに、犬自身の安全を守るために、引き綱（引き紐、リードともいう）が使用されている。現在では多種類の引き綱が市販されているが、引き綱の紐部分に用いられる素材は、主として金属（ワイヤ、鎖）、皮革、繊維（組紐状のもの）のいずれかである。
【０００３】
これらのうち、ワイヤ等の金属製の引き綱は丈夫であり、噛み癖がある犬でも噛み切られることがないので非常に安全であるが、素材自体が硬くて径が細いため手で持つときの感触はよくない。また、防錆を兼ねて、ワイヤの外側を樹脂カバーで被覆したものもあるが、後述する皮革製や繊維製に比べると感触は劣っている。そのため、金属製の引き綱は、手で持って使用する散歩用ではなく、犬小屋等への係留用としての使用に適している。
なお、散歩用に用いる場合には、例えば特許文献１に記載されているように、部分的に把持部だけを皮革製等に変更すればよいが、その場合、加工工数や部品点数が増えるとともに構造が複雑になる。
【０００４】
一方、皮革製品や繊維製品のものは、素材が比較的柔らかく、また、軽量であるため持ちやすく、手で持つときの感触も優れているため、犬を連れて散歩するときの使用に適している。しかしながら、噛み癖のある犬の場合には噛み切られてしまうことがあるので、皮部分や紐部分に噛み傷が生じている場合には、安全のため早めに交換することが必要になる。
【先行技術文献】
【特許文献】
【０００５】
【特許文献１】特開平１０−２８４９０号公報
【考案の概要】
【考案が解決しようとする課題】
【０００６】
上述したように、散歩用の引き綱では、引き綱を手で持つときの持ちやすさ、感触のよさとともに、犬等のペットによって噛まれたり、強く引っ張られたりした場合であっても、紐部分が絶対に切断されない丈夫さを備えていることが要求されている。特に、大型犬の引き綱が切断されてしまうと、周囲の人に重大な危害を与えるおそれが生じることになるため、強度は重要である。
【０００７】
また、散歩用の引き綱では、手で持ちやすくするために引き綱の片側を環状にして把持部を形成するようにしたものがある。引き綱を環状にする場合、引き綱の端部を折り返して、引き綱の片端と引き綱の中央部分の側面とを面接させて固定する必要がある。これまで面接部分の固定には、紐を溶着させたり、糸で縛るようにしたり、あるいは締結具で圧着したりして固定していたが、紐の長手（軸線）方向に加わる力には弱く、強固に固定することが困難であって固定部分から切断されるという不具合が生じていた。
【０００８】
そこで本考案は、たとえ犬等のペットが噛んだとしても決して切断されず、しかも手で持ちやすく感触のよい引き綱を提供するとともに、環状の把持部で固定部分が外れ、把持部で切断されることのない引き綱を提供することを目的とする。また、引き綱の把持部から紐部分までを同じ素材で形成するようにしても、把持部分が壊れにくい引き綱を提供することを目的とする。
【課題を解決するための手段】
【０００９】
上記目的を達成するためになされた本考案のペット用の引き綱は、ペットの首輪又は胴輪に取り付けられた係合部材に連結するための連結具が片側端に取り付けられ、反対側端には手で握るための環状の把持部が形成された紐状体からなるペット用の引き綱であって、前記紐状体は、金属ワイヤと、当該金属ワイヤの外側を被覆する繊維製の組紐との少なくとも二重構造からなり、紐状体の把持部側の端部は前記金属ワイヤが露出し、当該金属ワイヤの露出部分が紐状体を貫通するとともに露出部分の先端部が紐状体の外に突き出し、紐状体から突き出した金属ワイヤの露出部分に圧着部材が固着され、さらに、前記圧着部材を覆うようにカバーが取り付けられて環状の把持部が形成されるようにしてある。
【００１０】
ここで、金属ワイヤは、具体的にはステンレス線、鋼線の細線を束ねたものが屈曲性も備えていて好ましいが、犬等のペットに噛み切られない程度の強度を有する金属ワイヤであれば使用することができる。特にステンレス線は防錆性をも有している点で好ましく、鋼線は価格面で好ましい素材である。また、繊維製の組紐には、天然繊維又は化学繊維を用いることができる。
【考案の効果】
【００１１】
本考案によれば、引き綱の紐状体を、少なくとも金属ワイヤと繊維製の組紐との二重構造で構成するようにしたので、ペットが噛んでも金属ワイヤは決して切断されない。また、環状の把持部の固定部分に、紐状体の長手（軸線）方向に向く力が加わった場合にも、紐状体を貫通する金属ワイヤの露出部分の先端部が紐状体の外に突き出し、この紐状体から突き出した金属ワイヤの露出部分に圧着部材が固着されるようにしてあることから、圧着部材が貫通孔を通過できないため、この部分で切断されることはない。
また、外側を組紐で覆っているため手で持つときの感触がよく、散歩のときの使用に適している。また、組紐は軽い材料で構成され、外側の組紐の径を太くすれば（内側の金属ワイヤ径を太くしなければ）、紐状体の全体重量を軽量にすることができ、軽くて握りやすい太さの引き綱にすることができる。
【図面の簡単な説明】
【００１２】
【図１】本考案に係る引き綱の全体構造を示す図。
【図２】本考案に係る引き綱の紐状体の分解図。
【図３】引き綱の使用状態を示す図。
【図４】引き綱の紐状体端部の固定方法を示す図。
【考案を実施するための形態】
【００１３】
以下、本考案の引き綱の詳細を、図に示した実施例に基づいて説明する。
図１は、本考案に係る引き綱Ａの全体構造を示す図であり、図２はその紐状体を分解した図である。また、図３は本考案に係る引き綱Ａの使用状態を示す図である。
なお、本実施例では、犬用の引き綱を例として述べる。
【００１４】
犬用の引き綱Ａは、紐状体１と、紐状体１の片側端に設けた連結具２とからなる。
【００１５】
紐状体１について説明する。紐状体１は、図２に示すように、金属ワイヤ１ａと、樹脂カバー１ｂと、繊維製の組紐１ｃとの三重構造からなる。金属ワイヤ１ａは、ステンレス細線を多数束ねることによって直径が２〜３ｍｍ程度のワイヤにしたものを用いている。このように細線を束ねた金属ワイヤを用いることで屈曲しやすくしてある。
【００１６】
金属ワイヤ１ａの外側はビニール製の樹脂カバー１ｂで被覆してある。樹脂カバー１ｂにはビニール、ポリエステル、ポリプロピレンなどを用いることができる。この被覆の存在により防錆効果とともに、ステンレス細線からなる金属ワイヤ１ａが簡単にほぐれないようにしてあり、また、ほぐれた場合でも樹脂カバー１ｂの外側に飛び出ないようにしてある。
【００１７】
さらに、樹脂カバー１ｂの外側は繊維製の組紐１ｃで被覆してある。組紐１ｃは中空状に編み込まれ、上述した金属ワイヤ１ａ、樹脂カバー１ｂが芯材として内側に入れられるようにしてある。組紐１ｃにはナイロン、ポリエステル、ポリエチレン等の強度に優れた化繊素材を用いるようにして、組紐１ｃの直径（すなわち内部の金属ワイヤ１ａおよび樹脂カバー２も含めた紐状体１の径）が１０〜３０ｍｍ程度になるようにしている。このようにして形成した紐状体１は、芯材となる２〜３ｍｍ程度の細い金属ワイヤ１ａの存在によって犬が噛んでも噛み切られることがなくなり、しかも軽量の組紐１ｃによって紐状体１の直径が１０〜３０ｍｍ程度にしてあるので握りやすくなっている。
また、紐状体１の片端側には把持部８が形成されており、把持部８は紐状体１を環状に屈曲させて端部を固定してある。
【００１８】
図４は把持部８を形成するための紐状体１の端部の固定方法を示す図である。まず、紐状体１の端部の金属ワイヤ１ａを少し露出させ、組紐１ｃの端面１１を斜めにカットする（図４（ａ））。紐状体１には形成する把持部８の輪の大きさに合わせて貫通孔１２を形成し、金属ワイヤの露出部分１３を通過させる（図４（ｂ））。このとき、貫通した金属ワイヤの先端部１４が貫通孔１２を突き出るようにしておく。続いて、貫通孔１２から突き出たワイヤ先端部１４に圧着用の金属パイプ１５を被せる（図４（ｃ））。さらに、この金属パイプ１５を圧着して平板状にして、紐状体１の外側面に面接するように屈曲させる（図４（ｄ））。このとき貫通孔１２よりも圧着部分の幅が大きくなるようにして、決して抜けないようにしておく。最後に、金属パイプ１５を被せた部分を覆うようにゴムカバー１６を被せる（図４（ｅ））。
このようにすることで、金属パイプ１５の圧着部分が貫通孔１２を通過できなくなり、強固な把持部８が形成される。特に、引き綱の長手方向（紐状体１の軸線方向）に引っ張る力が働いた場合でも、圧着された金属パイプ１５が抵抗となって簡単に固定部分が抜けなくなる。
なお、貫通孔１２を形成した側（端面１１が面接される側）の紐状体１には、貫通孔１２の近傍で金属ワイヤ１ａが貫通孔１２と交差するように配置されているので、組紐１ｃの一部が破損して圧着された金属パイプ１５が貫通孔１２に入り込んだとしても、この金属ワイヤ１ａに接した段階で、それ以上に貫通孔１２に金属パイプ１５が入り込むことはない。
【００１９】
次に連結具２について説明する。連結具２はナス環２ａおよびナス環２ａに対し回転自在に固定された連結リング２ｂからなり、図３に示すように、首輪６（胴輪でもよい）に取り付けられたリング（係合部材）７にナス環２ａを係合させることで連結できるようにしてある。
連結具２の連結リング２ｂと紐状体１との接続部分３は、上述した把持部８と同様の方法で固定するようにしてあり、ゴムカバー５で覆ってある。
【００２０】
以上、本考案の一実施形態について説明したが、本考案の趣旨を逸脱しない範囲で変形実施することが可能である。
例えば、上記実施形態では把持部８を形成するために圧着用の金属パイプ１５を用いて固定しているが、これに加え、端面１１と化繊素材からなる組紐１ｃとの接合部分を溶着させてさらに強固に固定するようにしてもよい。
また、上記実施形態では三重構造の紐状体１を用いたが、金属ワイヤ１ａと組紐１ｃとの二重構造の紐状体としてもよい。
【産業上の利用可能性】
【００２１】
本考案の引き綱は、犬などのペットを散歩させるときの引き綱に適用される。
【符号の説明】
【００２２】
Ａ  引き綱
１  紐状体
１ａ  金属ワイヤ
１ｂ  樹脂カバー
１ｃ  組紐
１１  組紐の端面
１２  貫通孔
１３  金属ワイヤの露出部分
１４  金属ワイヤの先端部
１５  圧着部材
１６  ゴムカバー
２  連結具
６  首輪
７  リング（係合部材）
８  把持部
【図１】
0003188041.tif 000003
【図２】
0003188041.tif 000004
【図３】
0003188041.tif 000005
【図４】
0003188041.tif 000006